(57)【特許請求の範囲】
【請求項１】
緑色蛍光灯と青色蛍光灯とを育成食用植物の上面より一定の高さの、一平面状に置き並べ、当該緑色蛍光灯の緑色光線と当該青色蛍光灯の青色光線とを当該育成食用植物に一定の日数夜間照射し、ケルダール窒素を増加せしめた、当該植物の花数増加の育成制御の方法。
【請求項２】
緑色ＬＥＤと青色ＬＥＤとを育成食用植物の上面よりの一定の高さの、一平面状に置き並べ、緑色ＬＥＤの緑色光線と青色ＬＥＤの青色光線とを育成食用植物に一定の日数夜間照射し、ケルダール窒素を増加せしめた、当該植物の花数増加の育成制御の方法。
【発明の詳細な説明】
【技術分野】
【０００１】本発明は、植物が夜間の呼吸作用の時間帯に、緑色光、青色光を与え育成食用植物や、育成いちご植物の体内栄養濃度をつかさどるタンパク質を増加させて花数を増やす制御方法に関する。
【背景技術】
【０００２】従来、植物の育成期間中に肥培管理による窒素コントロール処理を行なっているが、花数のコントロールは、非常に難易な技術であった。
【先行技術文献】
【特許文献】
【０００３】
【特許文献１】特開平０９−２６６７２５号
【発明の概要】
【課題を解決しようとする課題】
【０００４】上記の従来の食用植物や、いちご植物の育成期間中における、花数を増やす制御の方法は、育成食用植物や、育成いちご植物の成育状況に合わせ肥培管理による窒素コントロール処理に頼っていたのであったが、天候不順が、続くと根の肥料分の吸収バランスを失い、花粉の粘性が狂い、奇形花、奇形果が増えたり、花数が減少など苦慮している。
【課題を解決するための手段】
【０００５】天候不順時期に影響されずに緑色、青色の単独光線や、青色、緑色の複合させた光線を夜間に照射し、食用植物や、いちご植物の体内の栄養濃度である、タンパク質濃度を増加させ、育成食用植物等育成いちご植物の花数増加を制御することを特徴とする。
【発明の効果】
【０００６】収穫期や、育苗中の植物の同化作用、呼吸作用に無理することなく、花数を増加制御出来る。
【０００７】本発明によれば、夜間に緑色、青色の単独光線、青と緑色複合色光線利用処理することにより、無理なく且つ、自然な方法で天候に左右されることなく、花数を必要な時期に増やすことにより生産時の増収につながり、生産者にとって多大な利益となる。
【図面の簡単な説明】
【０００８】
【図１】は、緑色蛍光灯２の上面に青色蛍光灯１を設置しいちご株１３に緑色と青色光線とを照射する模式図。
【図２】は、緑色蛍光灯２の上面に青色蛍光灯１を設置しいちご株１３に緑色と青色光線とを照射する模式図。
【図３】は、青色蛍光灯１緑色蛍光灯２を一平面上に並べ設置し、いちご株１３に緑色と青色光線とを照射する模式図。
【図４】は、青色蛍光灯１をいちご株１３の上面に設置し、青色光線を照射する模式図。
【図５】は、緑色蛍光灯２をいちご株１３上面に設置し、緑色光線を照射する模式図。
【図６】は、緑色ＬＥＤ４の上面に青色ＬＥＤ３を設置しいちご株１５に緑色と青色光線とを照射する模式図。
【図７】は、青色ＬＥＤ３の上面に緑色ＬＥＤ４を設置しいちご株１５に緑色と青色光線とを照射する模式図。
【図８】は、青色ＬＥＤ３と緑色ＬＥＤ４を一平面上に並べ設置し、いちご株１５に緑色と青色光線とを照射する模式図。
【図９】は、青色ＬＥＤ３をいちご株１５の上面に設置し、青色光線を照射する模式図。
【図１０】は、緑色ＬＥＤ４をいちご株１５上面に設置し、緑色光線を照射する模式図。
【図１１】は、パイプハウスの内部両脇に平行に設置した緑色蛍光灯７と中央部に設置した青色の蛍光灯８の配置の立面図。
【図１２】は、パイプハウスの内部両脇に平行に設置した緑色蛍光灯７と中央部に設置した青色の蛍光灯８の配置の平面図。
【発明を実施するための形態】
【０００９】  本発明の実施形態を、タンパク質の定量法として、精度の高い方法として燃焼後に窒素量を測定するデルマ法と、硫酸分解後にアンモニア量を測定するケルダール法等があります。当発明の基準になった測定法は、後者の方法でいちご植物の葉柄、葉体をＨＡＣＨ社製ダイジェスタール２３１３０−２０型で強酸の硫酸にて４４０度Ｃにて煮沸させながら強酸化剤過酸化水素水を点滴し、２段階分解後にサンプルを取り出し、ＨＡＣＨ社製分光光度計３０００Ｒにてアンモニア量を測定するゲルタール法に基づくものであり，精度の高いタンパク質の定量法にて測定を行なっています。
【００１０】いちご植物の育成中の葉柄、葉体内のケルダール窒素の量すなわち、タンパク質の量が、無照射、緑色のみの光線の照射、青色のみの光線の照射、緑色の光線と青色の光線の組み合わせによる光線の照射等の組み合わせの違いによる効果が、いちご植物の頂花房の花数の多い、少いかの違いの比較を、下記別表１は、蛍光灯の照射による比較、表２は、ＬＥＤの照射による比較を表示した。
又表３は、いちご生産農家の育苗パイプハウス内の実施に基づき、緑色、青色蛍光灯による照射の効果の力が、ケルダール窒素の量すなわちタンパク質の比較の多い、少ないが本圃に定植後のいちご植物の頂花房の花数の比較を表示した。
図面及び実施例、表１、表２、表３に基づき説明する。
【００１１】図５は、ビニールハウス内にて、育成中の植物いちごの株１３に、１ｍ高さの位置に日没後から日の出までの夜間に緑色の蛍光灯２０Ｗ、２を照射し、連続３０日照射した後に、ケルダール窒素量を測定１４７ｐｐｍを表示した。
【００１２】図４は、ビニールハウス内にて、育成中の植物いちごの苗１３に日没後から日の出までの夜間に青色蛍光灯２０Ｗ、１を照射し、連続３０日照射した後に、ケルダール窒素量を測定１３５ｐｐｍを表示した。
【００１３】図１は、ビニールハウス内にて、育成中の植物いちごの株１３に、１ｍ高さの位置に日没後から日の出までの夜間に緑色の蛍光灯２０Ｗ、２の緑色光線を照射させ、当該緑色蛍光灯の上面部より０．５ｍの高さより青色蛍光灯２０Ｗ、１を設置し、上部の青色光線と下部の緑色光線を同時に３０日間連続植物いちご株１３を、照射した後ケルダール窒素量を測定１５９ｐｐｍを表示した。
【００１４】図２は、ビニールハウス内にて、育成中の植物いちごの株１３に１ｍ高さの位置に日没後から日の出までの夜間に青色蛍光灯２０Ｗ、１の青色光を照射させ、当該青色蛍光灯の上面部より０．５ｍの高さより緑色蛍光灯２０Ｗ、２を設置し、上部の緑色光線と下部の青色光線を同時に３０日間連続植物いちご株１３を、照射した後ケルダール窒素量を測定１４０ｐｐｍを表示した。
【００１５】図３は、ビニールハウス内にて、育成中の植物いちごの株１３に１ｍ高さの位置に日没後から日の出までの夜間に緑色蛍光灯２０Ｗ、２と青色蛍光灯２０Ｗ、１とを一平面状に並べ緑色光線と青色光線を連続３０日照射した後ケルダール窒素量を測定１７５ｐｐｍを表示した。
【００１６】植物いちごの株１３の、育成中のビニールハウス内にて、蛍光灯による光線を照射せずに、３０日後ケルダール窒素量を測定８１ｐｐｍを表示した。
【００１７】以上、蛍光灯光線照射無しの条件にて測定したケルダール窒素８１ｐｐｍと比較すると、緑色の光線照射によるケルダール窒素量１４７ｐｐｍ、次に緑色の光線の上面部から青色光線を与え同時照射したケルダール窒素量１５９ｐｐｍ、緑色光線と青色光線を平面状に与え複合させて照射したケルダール窒素量１７５ｐｐｍ、緑色光線効果が植物いちご株１３に夜間照射により効果が出る。この効果に青色光線を含ませるとより多くケルダール窒素量が増すことがわかる。
【００１８】  図１０は、ビニールハウス内にて、育成中の植物いちごの株１５に、０．１ｍ高さの位置に日没後から日の出までの夜間に緑色のＬＥＤ４にて緑色光線を照射し、連続して３０日後ケルダール窒素量を測定１０８ｐｐｍを表示した。
【００１９】  図９は、ビニールハウス内にて、育成中の植物いちごの株１５に、０．１ｍ高さの位置に日没後から日の出までの夜間青色ＬＥＤ３の青色光線を照射し、連続して３０日後ケルダール窒素量を測定９８ｐｐｍを表示した。
【００２０】  図６は、ビニールハウス内にて、育成中の植物いちごの株１５に０．１ｍ高さの位置に日没後から日の出までの夜間緑色ＬＥＤ４の緑色光線を照射し、上面部より０．１ｍの高さから、青色ＬＥＤ３にて青色光を照射し、連続して３０日後ケルダール窒素量を測定１１２ｐｐｍを表示した。
【００２１】  図７は、ビニールハウス内にて、育成中の植物いちごの株１５に０．１ｍ高さの位置に日没後から日の出までの夜間に、青色ＬＥＤ１の青色光を照射し、当該青色光線の青色ＬＥＤの上面部より  ０，１ｍ高さより、緑色ＬＥＤ４にて緑色光を照射し、連続して３０日後にケルダール窒素量を測定１０９ｐｐｍを表示した。
【００２２】  図８は、ビニールハウス内にて、育成中の植物いちごの株１５に０．１ｍ高さの位置に日没後から日の出までの夜間に、緑色ＬＥＤと青色ＬＥＤとを、一平面状に並べ緑色光線と青色光線との光線を複合させて照射し、連続して３０日後ケルダール窒素量を測定１２５ｐｐｍを表示した。
【００２３】  ビニールハウス内にて、ＬＥＤによる育成中の植物いちごの株１５に青色、緑色ＬＥＤによる光線を照射せずに、３０日後ケルダール窒素量を測定８１ｐｐｍを表示した。
【００２４】  以上、緑色、青色ＬＥＤの光線照射無しの条件にて３０日後ケルダール窒素量を測定８１ｐｐｍを表示のケルダール窒素量との比較をすると、緑色ＬＥＤ４の緑色光線照射による３０日後ケルダール窒素量１０８ｐｐｍ、次に緑色ＬＥＤ４の緑色光線の上面部から青色ＬＥＤ３の青色光線を照射した３０日後ケルダール窒素量１１２ｐｐｍ、緑色ＬＥＤ光線と青色ＬＥＤ光線を一平面状に与へ複合させて照射した３０日後ケルダール窒素量１２５ｐｐｍ、緑色光線効果が植物いちご株にとってビニールハウス内にて、育成中の植物いちごの株５に０．１ｍ高さの位置に日没後から日の出までの夜間に緑色光線の照射による、ケルダール窒素量の増加の効果が出た。
【００２５】  この効果に青色ＬＥＤ光線を含ませると、より多くケルダール窒素量が増してくる。
前記記載の「［００１１］」、「［００１２］」、「［００１３］」、「［００１４］」、「［００１５］」、「［００１６］」、「［００１７］」項記載の蛍光灯の光量と、「［００１８］」、「［００１９］」、「［００２０］」、「［００２１］」、「［００２２］」、「［００２４］」、「［００２５］」項記載のＬＥＤの光量との光量差は、上記実施例に於いて利用された蛍光灯とＬＥＤとの光量の差が、ケルダール窒素量に蛍光灯とＬＥＤとの比較差が見受けられた、しかし上記記載のごとく、ケルダール窒素量の多い少ない差として花数の多い少ないかの差として表示された。
【００２６】いちごの育苗ハウスにて、実施例に基づき説明する。
間口５．４ｍ長さ４０ｍの育苗パイプハウスにて、図１１は、パイプハウスの立面図である。ハウス内に置かれたいちごの株１６の上面より１ｍの高さに緑色の２０Ｗの蛍光灯７をパイプハウスに対し平行に２列設置し、又２列設置した中央に青色の２０Ｗの蛍光灯８をハウスの長手方向に、１列設置した。両側２列に設置した蛍光灯７の緑色の光線と、中央１列に設置した蛍光灯８の青色の光線が、出来るだけ均一にいちごの苗に緑色光線と青色光線との複合した緑と青の光線としていちご株１６を照射させる為に、平面図１２にて表示のごとく、両側２列に設置した緑色２０Ｗ蛍光灯１の間隔を４ｍに設置し、中央１列に設置した青色２０Ｗ蛍光灯８の間隔を８ｍ間隔に設置し、いちご株１６の上面より１ｍの高さに、青色、緑色の全ての蛍光灯を設置した。育苗のパイプハウス立面図、図１１、育苗のパイプハウス平面図、図１２表示の育苗ハウス内には、本圃に定植する苗を８５００本置き並べた。
【００２７】又前記当該育苗パイプハウス間口５．４ｍ長さ４０ｍのハウスより２Ｍ離れた隣の同等の面積を保持したパイプハウス間口５．４ｍ長さ４０ｍハウスには、蛍光灯は、設置せずに、本圃に定植する株を８５００本置き並べた。
【００２８】上記記載の蛍光灯を設置したパイプハウスの苗株に全ての緑色蛍光灯、青色蛍光灯を、７月３０日〜８月３１日までの約１月間日没から日の出までの夜間に緑色蛍光灯の緑色光線と青色蛍光灯の青色の光線を複合させ同時に点灯させ、いちごの苗株に照射した。
昼間には、当該蛍光灯を設置したパイプハウスも、２ｍ離れた隣の同等の面積を保持した、パイプハウスは共に、日中、昼間は７月３０日〜８月３１日までの約１月間自然の太陽光に準じた育苗管理を保持した。その後８月３１日以降は日没から日の出までの夜間の緑色、青色の蛍光灯は全て消灯した。
本圃育成ハウスに育苗完了苗、定植は９月１０日〜９月１６日までに定植完了した。
以上実施例育苗パイプハウス間口５．４ｍ長さ４０ｍハウスの蛍光灯照射と蛍光灯照射無しの両パイプハウスの苗株の葉柄、葉体内のケルダール窒素の量すなわち、タンパク質の量比較を下記別表３にて表示した。
青色、緑色蛍光灯の複合した光線照射をした当該苗株と蛍光灯の無照射苗株とを本圃に定植して後、頂花房の花数のチェックは頂花房収穫後に頂花房の枝の数をチェックした平均個数である。
【００２９】いちごの育成中の葉柄、葉体内のケルダール窒素の量すなわち、タンパク質の量が、無照射、緑色のみの光線の照射、青色のみの光線の照射、緑色の光線と青色の光線の組み合わせによる光線の照射の組み合わせの違いによる効果が、いちごの頂花房の花数の多少の違いの、比較を下記別表１は、蛍光灯の照射による比較、表２は、ＬＥＤの照射による比較を表示した。
無照射、緑色のみの光線の照射、青色のみの光線の照射、緑色の光線と青色の光線の組み合わせによる光線の表１及び表２の表示の如く、照射の組み合わせによる、蛍光灯及びＬＥＤの各光線照射、をした当該苗株と蛍光灯の無照射苗株とを本圃に定植して後、頂花房の花数のチェックは頂花房収穫後に頂花房の枝の数をチェックした平均個数である。
【００３０】前記記載のいちご植物の育苗、育成パイプハウス内の実施例を「［００２７］」項、「［００２８］」項、「［００２９］」項記載のごとく表示した
ケルダール窒素量の多いか、少ないかの比較が、当該いちご植物の体内のたんぱく質の量の多い、少ないが当該いちご植物の花数の多い、少ないが前記記載のいちご植物の育苗、育成パイプハウス内にても表示された。
【表１】
0005481968.tif 000002
【表２】
0005481968.tif 000003
【表３】
0005481968.tif 000004
【符号の説明】
【００３１】１・・・青色蛍光灯、２・・・緑色蛍光灯、３・・・青色ＬＥＤ
４・・・緑色ＬＥＤ，１３・・・いちごの株、１５・・・いちごの株、
１６・・・いちごの株、７・・・緑色蛍光灯  ８・・・青色蛍光灯、
９・・・パイプハウス、
【図１】
0005481968.tif 000005
【図２】
0005481968.tif 000006
【図３】
0005481968.tif 000007
【図４】
0005481968.tif 000008
【図５】
0005481968.tif 000009
【図６】
0005481968.tif 000010
【図７】
0005481968.tif 000011
【図８】
0005481968.tif 000012
【図９】
0005481968.tif 000013
【図１０】
0005481968.tif 000014
【図１１】
0005481968.tif 000015
【図１２】
0005481968.tif 000016